(57)【特許請求の範囲】
【請求項１】
制御基板が内部に装入される方形状のケース体と、前記制御基板を覆った状態で前記ケース体に重ね合わされる方形状のカバー体と、を備えたパチンコ機の制御基板収納ボックスであって、
前記方形状のケース体の周壁部のうち前記制御基板の端縁に沿って設けられるコネクタから離れた周壁部と該周壁部と直交する一方の周壁部とからなる突き合わせ壁と、前記方形状のカバー体の周壁部のうち前記突き合わせ壁に対応するように直行する周壁部からなる突き合わせ壁のうち、一方の突き合わせ壁には複数の係止部が形成され、
前記他方の突き合わせ壁には、弾性変形可能でかつ前記係止部に解離可能に掛合される複数の弾性係止片が突設され、
前記ケース体の突き合わせ壁と、前記カバー体の突き合わせ壁のうち、一方の突き合わせ壁には、直交する周壁部ごとに孔状の案内部が設けられ、
前記他方の突き合わせ壁には、直交する周壁部ごとに前記孔状の案内部に嵌め合い可能なピン状の突起が設けられ、
前記カバー体を前記ケース体に重ね合わせるときに該カバー体が前記孔状の案内部と前記ピン状の突起とによって案内されて前記弾性係止片の弾発力に抗して直進した後、前記係止部に前記弾性係止片が掛合されることで、前記ケース体に対し前記カバー体が重ね合わされて閉塞され、
前記カバー体の閉塞状態において、前記孔状の案内部と前記ピン状の突起との嵌め合いによって、前記カバー体の横方向の動きが阻止されかつ前記係止部と前記弾性係止片との掛合状態が保持される構成にし、
しかも、前記係止部は、前記一方の突き合わせ壁の内壁面に形成され、
前記弾性係止片には、前記係止部に掛合される爪片が形成されていることを特徴とするパチンコ機の制御基板収納ボックス。
【請求項２】
請求項１記載のパチンコ機の制御基板収納ボックスであって、
前記孔状の案内部と、前記ピン状の突起とが、前記複数の係止部及び弾性係止片の近傍に設けられていることを特徴とするパチンコ機の制御基板収納ボックス。
【発明の詳細な説明】
【０００１】
【産業上の利用分野】
この発明はパチンコ機において、制御基板を収納した状態で設置される制御基板収納ボックスに関する。
【０００２】
【従来の技術】
従来の制御基板収納ボックスではカバー体をケース体に係止するに際し、カバー体の爪部を弾性変形させながらカバー体をケース体に押しつけて爪部をケース体の孔縁に係合させていた。
【０００３】
【発明が解決しようとする課題】
制御基板収納ボックスのカバー体とケース体とを爪部と孔縁とによって結合する場合にはカバー体をケース体に押しつけると、爪部の弾発力によって爪部が孔縁から離れる方向へカバー体が位置ずれするので、カバー体をケース体に係止しにくく、カバー体の係止状態が不安定となる問題点がある。本発明は制御基板収納ボックスのカバー体をケース体に係止し易くし、カバー体の係止状態を強化することを課題とするものである。
【０００４】
【課題を解決するための手段】
請求項１の発明は、制御基板が内部に装入される方形状のケース体と、前記制御基板を覆った状態で前記ケース体に重ね合わされる方形状のカバー体と、を備えたパチンコ機の制御基板収納ボックスであって、
前記方形状のケース体の周壁部のうち前記制御基板の端縁に沿って設けられるコネクタから離れた周壁部と該周壁部と直交する一方の周壁部とからなる突き合わせ壁と、前記方形状のカバー体の周壁部のうち前記突き合わせ壁に対応するように直行する周壁部からなる突き合わせ壁のうち、一方の突き合わせ壁には複数の係止部が形成され、
前記他方の突き合わせ壁には、弾性変形可能でかつ前記係止部に解離可能に掛合される複数の弾性係止片が突設され、
前記ケース体の突き合わせ壁と、前記カバー体の突き合わせ壁のうち、一方の突き合わせ壁には、直交する周壁部ごとに孔状の案内部が設けられ、
前記他方の突き合わせ壁には、直交する周壁部ごとに前記孔状の案内部に嵌め合い可能なピン状の突起が設けられ、
前記カバー体を前記ケース体に重ね合わせるときに該カバー体が前記孔状の案内部と前記ピン状の突起とによって案内されて前記弾性係止片の弾発力に抗して直進した後、前記係止部に前記弾性係止片が掛合されることで、前記ケース体に対し前記カバー体が重ね合わされて閉塞され、
前記カバー体の閉塞状態において、前記孔状の案内部と前記ピン状の突起との嵌め合いによって、前記カバー体の横方向の動きが阻止されかつ前記係止部と前記弾性係止片との掛合状態が保持される構成にし、
しかも、前記係止部は、前記一方の突き合わせ壁の内壁面に形成され、
前記弾性係止片には、前記係止部に掛合される爪片が形成されていることを特徴とする。
【０００５】
請求項２の発明は、請求項１記載のパチンコ機の制御基板収納ボックスであって、
前記孔状の案内部と、前記ピン状の突起とが、前記複数の係止部及び弾性係止片の近傍に設けられていることを特徴とする。
【０００６】
【作用】
請求項１の発明では、ピン状の突起を孔状の案内部に嵌め合わせてカバー体をケース体に重ね合わせると、弾性係止片の弾発力によるカバー体の逃げ挙動が孔状の案内部とピン状の突起との嵌め合い作用によって阻止される。そして、孔状の案内部とピン状の突起との嵌め合いに案内されて係止部に弾性係止片が掛合され、これによって、ケース体とカバー体とが位置合わせされた状態でカバー体が閉塞状態に係止保持される。
【０００７】
請求項２の発明では、複数の係止部及び複数の弾性係止片のぞれぞれの近傍に配設された孔状の案内部と、ピン状の突起との嵌め合い作用によって、カバー体の逃げ挙動を阻止しながら複数の係止部に対し複数の弾性係止片をそれぞれ掛合させてカバー体を閉塞状態に係止保持することができる。
【０００８】
【発明の効果】
この発明によれば、カバー体をケース体に重ね合わせるときにカバー体が孔状の案内部とピン状の突起とによって案内されて弾性係止片の弾発力に抗して直進するので、カバー体の逃げ挙動をなくして係止部と弾性係止片とを円滑に掛合させ、カバー体をケース体に閉塞状態に容易に係止することができるとともに、係止部と弾性係止片とが掛合した状態（すなわち、カバー体の閉塞状態）ではこの掛合状態が解離される方向へのカバー体の逃げ挙動（すなわち、カバー体の横方向の動き）を孔状の案内部とピン状の突起との嵌め合い作用によって阻止することができるので、係止部と弾性係止片との掛合状態を強化および安定化することができる。
【０００９】
また、ケース体とカバー体との相対位置を孔状の案内部とピン状の突起とによって常に規正してカバー体をケース体に閉塞状態に係止することができる。
【００１０】
【実施例】
次に、本発明の１実施例を図面にしたがって説明する。パチンコ機において、制御基板収納ボックスＢは遊技盤の裏面に組付けられる図示しない裏カバーに取外し可能に結合されて遊技盤の後側に設置される。
【００１１】
制御基板収納ボックスＢは制御基板３が内部に装入された状態で垂直状に設置されて合成樹脂材で後方開放の浅箱状に成形されたケース体１と、制御基板３をその背後から覆って制御基板３の下端縁付近および一方の側縁付近を外部に露出した状態でケース体１に重ね合わされてケース体１の後側に設置され、透明な合成樹脂材で前方開放の箱型状に成形されたカバー体２とによって形成されている。
【００１２】
ケース体１にはその前端に垂立された前壁板４と、この前壁板４の周縁部に制御基板３を包囲した状態で一体状に連接されて後方へ突出された周壁部５とが形成され、制御基板３は前壁板４の後面に凸設された突片４ａにねじ止めされてケース体１内に密嵌状に嵌め込まれている。
【００１３】
ケース体の周壁部５の内壁面には制御基板３の周縁部を支える段部５ａが段差状に形成されている。
【００１４】
ケース体１の周壁部５の左右側面にはケース体１を支持する図示しない１対の支持部材の孔部に係合する上下１対の係合片７がそれぞれ凸設されている。
【００１５】
ケース体１の周壁部５には、この周壁部５のうち、制御基板３の下端縁付近にこの下端縁に沿って取付けられてカバー体２の外部に露出された複数個のコネクタ３０〜３０から最も離れた上壁部と、制御基板３の一方の側縁付近にこの側縁に沿って取付けられてカバー体２の外部に露出された電源用コネクタ３１およびヒューズ３２から最も離れた一方の側壁部とにわたって各コネクタ３０，３１およびヒューズ３２を避けた状態で設置されて制御基板３の後面の後方へ突出された前突き合わせ壁８が形成されている。
【００１６】
前突き合わせ壁８は制御基板３の上端縁に沿って水平状に設置された横壁板８ａと、制御基板３の他方の側縁に沿って垂直状に設置された縦壁板８ｂとが直交状に連接されて形成されている。
【００１７】
前突き合わせ壁８の後端には同一垂直平面内に配置された前合わせ面９が形成されている。
【００１８】
ケース体１の前突き合わせ壁８の上面および前壁板４の後面にはカバー体２をケース体１に結合するビスがねじ込まれる結合突片３３が突設されている。
【００１９】
前突き合わせ壁８にはその横壁部８ａの両端付近および縦壁部８ｂの下端付近にそれぞれ配設された３個の係止部１０が形成され、この各係止部１０には後端縁が前合わせ面９に整合されかつ先端縁が前合わせ面９の若干前方に配設されて前突き合わせ壁８の内壁面に整合された爪片１０ａが突出形成されている。
【００２０】
前突き合わせ壁８には各係止部１０の前側にそれぞれ隣設された３個の孔部８ｃが形成されている。
【００２１】
前突き合わせ壁８には前合わせ面９に一体状に連接されて後方へ水平状に突出され、各係止部１０の近傍にそれぞれ配設された３個のピン状の位置決め突起１１が形成されている。
【００２２】
カバー体２にはその後端に垂立された後壁板１５と、この後壁板１５の周縁部に一体状に連接されて前方へ突出された周壁部１６とが形成されている。
【００２３】
カバー体２の後壁板１５には横方向へ配列された複数個の放熱孔３４が開設されるとともに、後壁板１５にはその前面に連接されて前方へ突出された円筒状のスイッチ防護壁３５が形成され、このスイッチ防護壁３５内にはスイッチホルダ３６によって制御基板３に取付けられたキースイッチ３７の後部が挿入され、カバー体２をケース体１に結合すると、スイッチ防護壁３５の前端縁がスイッチホルダ３６に押しつけられる。
【００２４】
カバー体２の周壁部１６にはケース体１の前突き合わせ壁８の後側に突き合わせ状に設置された後突き合わせ壁１７が周壁部１６のうちの上壁部と一方の側壁部とにわたって形成されている。
【００２５】
後突き合わせ壁１７には前突き合わせ壁８の横壁板８ａの後側に水平状に設置された横壁板１７ａと、前突き合わせ壁８の縦壁板８ｂの後側に垂直状に設置された縦壁板１７ｂとが形成されている。
【００２６】
後突き合わせ壁１７の前端には前合わせ面９に接して重ね合わされる後合わせ面１８が形成されている。
【００２７】
後突き合わせ壁１７には後合わせ面１８に連接されてその前方へ突出され、ケース体１の各係止部１０に解離可能に係止される３個の被係止部（この発明の弾性係止片に相当する）１９が各係止部１０にそれぞれ対向して弾性曲げ変形可能に形成されている。
【００２８】
各被係止部１９の前端には後合わせ面１８の若干前方に配設されて係止部１０の爪片１０ａに解離可能に掛合される爪片１９ａがそれぞれ突設されている。
【００２９】
後突き合わせ壁１７には各係止部１０と各被係止部１９との掛合状態が解離される方向へのカバー体２の動きを位置決め突起１１と協仂して阻止してケース体１とカバー体２とを位置合わせする３個の案内部２０が各位置決め突起１１にそれぞれ対向して形成されている。
【００３０】
各案内部２０には水平な中心軸を有し、位置決め突起１１が脱出可能に嵌め合わされるガイド孔２０ａがそれぞれ凹設されている。
【００３１】
各位置決め突起１１の前部をそれぞれ後案内部２０のガイド孔２０ａ内に挿入した状態でカバー体２を前方へ押込むと、カバー体２が各位置決め突起１１および各案内部２０によって案内されて被係止部１９の曲げ弾発力に抗して前方へ直進し、前後合わせ面９，１８が接して各被係止部１９が各係止部１０に掛合する。
【００３２】
なお、前突き合わせ壁８に被係止部１９を形成し、後突き合わせ壁１７に係止部１０を形成してもよい。
【００３３】
また、前突き合わせ壁８に案内部２０を形成し、後突き合わせ壁１７に位置決め突起１１を形成してもよい。
【００３４】
続いて、上記した構成を有する実施例の作用と効果を説明する。本例ではケース体１の周壁部５には制御基板３の端縁付近に取付けられてカバー体２の外部に露出されたコネクタ３０，３１を避けた位置に配設された前突き合わせ壁８を形成し、カバー体２の周壁部１６には前突き合わせ壁８の後側に突き合わせ状に設置される後突き合わせ壁１７を形成し、後突き合わせ壁１７には前突き合わせ壁８に設けた係止部１０に前後合わせ面９，１８から離れた位置で弾発力によって解離可能に係止される被係止部１９を設けるとともに、前突き合わせ壁８には後突き合わせ壁１７に設けた案内部２０に嵌め合わされて係止部１０と被係止部１９との掛合状態が解離される方向へのカバー体２の動きを阻止する位置決め突起１１を設けてある。
【００３５】
このため、カバー体２をケース体１に重ね合わせるときにカバー体２が案内部２０と位置決め突起１１とによって案内されて被係止部１９の弾発力に抗して直進するので、カバー体２の逃げ挙動をなくして係止部１０と被係止部１９とを円滑に掛合させ、カバー体２をケース体１に容易に係止することができるとともに、係止部１０と被係止部１９とが掛合した状態ではこの掛合状態が解離される方向へのカバー体２の逃げ挙動を案内部２０と位置決め突起１１とによって阻止することができるので、係止部１０と被係止部１９との掛合状態を強化および安定化することができる。
【００３６】
また、ケース体１とカバー体２との相対位置を案内部２０と位置決め突起１１とによって常に規正してカバー体２をケース体１に係止することができる。
【００３７】
さらに、係止部１０と被係止部１９とが制御基板３の配線用電気部品を避けた位置で掛合するので、制御基板３への配線を係止部１０および被係止部１９によって阻害されずに行うことができる。
【図面の簡単な説明】
【図１】  本発明の１実施例を示す制御基板収納ボックスの正面図である。
【図２】  図１のＸ１−Ｘ１線矢視図である。
【図３】  ケース体およびカバー体の分解状態の平面図である。
【図４】  ケース体およびカバー体の結合状態の平面図である。
【図５】  図３のＸ２−Ｘ２線拡大矢視図である。
【図６】  図３のＸ３−Ｘ３線拡大矢視図である。
【図７】  図５のＸ４−Ｘ４線拡大矢視図である。
【図８】  図３のＸ５−Ｘ５線拡大断面図である。
【図９】  図４のＸ６−Ｘ６線拡大断面図である。
【図１０】  図３のＸ７−Ｘ７線拡大断面図である。
【図１１】  図４のＸ８−Ｘ８線拡大断面図である。
【符号の説明】
１    ケース体
２    カバー体
３    制御基板
５    周壁部
８    前突き合わせ壁
９    前合わせ面
１０  係止部
１１  位置決め突起（ピン状の突起）
１６  周壁部
１７  後突き合わせ壁
１８  後合わせ面
１９  被係止部（弾性係止片）
２０  案内部（孔状の案内部）
Ｂ    制御基板収納ボックス
【図１】
0004300538.tif 000002
【図２】
0004300538.tif 000003
【図３】
0004300538.tif 000004
【図４】
0004300538.tif 000005
【図５】
0004300538.tif 000006
【図６】
0004300538.tif 000007
【図７】
0004300538.tif 000008
【図８】
0004300538.tif 000009
【図９】
0004300538.tif 000010
【図１０】
0004300538.tif 000011
【図１１】
0004300538.tif 000012